(57)【要約】本発明は、２２．５ｋＤ  ストレプトコッカス・ユベリス蛋白質をコードする核酸配列及び前記蛋白質の免疫原フラグメントをコードする前記核酸配列の部分と、前記核酸配列又はその部分を含むＤＮＡフラグメント、組換えＤＮＡ分子、生きた組換えキャリヤー及び宿主細胞に関する。本発明はまた、２２．５ｋＤ  ストレプトコッカス・ユベリス蛋白質と前記配列によりコードされるその免疫原部分に関する。更に、本発明は、前記核酸配列及びその部分、前記核酸配列又はその部分を含むＤＮＡフラグメント、組換えＤＮＡ分子、生きた組換えキャリヤー及び宿主細胞、蛋白質又はその免疫原部分並びに前記蛋白質又はその免疫原部分に対する抗体を含むワクチンに関する。更に、本発明は、ワクチン及びワクチン製造における前記蛋白質の使用に関する。更に、本発明は、診断又はワクチン接種を目的とする前記核酸配列、蛋白質又は抗体の使用に関する。最後に、本発明は、前記核酸、蛋白質又は前記蛋白質に対する抗体を含む診断キットに関する。【特許請求の範囲】
【請求項１】
２２．５ｋＤ  ストレプトコッカス・ユベリス（Ｓｔｒｅｐｔｏｃｏｃｃｕｓ  ｕｂｅｒｉｓ）蛋白質をコードする核酸配列又は前記蛋白質の免疫原フラグメントをコードする前記核酸配列の部分であって、前記核酸配列又は前記その部分が配列番号１に示すストレプトコッカス・ユベリス蛋白質遺伝子の核酸配列に対して少なくとも８５％の相同性を有する前記核酸配列又はその部分。
【請求項２】
配列が配列番号１に示すストレプトコッカス・ユベリス蛋白質遺伝子の核酸配列に対して少なくとも９０％、好ましくは９３％、より好ましくは９５％の相同性を有することを特徴とする請求項１に記載の核酸配列又はその部分。
【請求項３】
請求項１又は２に記載の核酸配列を含むＤＮＡフラグメント。
【請求項４】
機能的に連結したプロモーターの制御下に請求項１もしくは２に記載の核酸配列又は請求項３に記載のＤＮＡフラグメントを含む組換えＤＮＡ分子。
【請求項５】
請求項１もしくは２に記載の核酸配列、請求項３に記載のＤＮＡフラグメント又は請求項４に記載の組換えＤＮＡ分子を含む生きた組換えキャリヤー。
【請求項６】
請求項１もしくは２に記載の核酸配列、請求項３に記載のＤＮＡフラグメント、請求項４に記載の組換えＤＮＡ分子、又は請求項５に記載の生きた組換えキャリヤーを含む宿主細胞。
【請求項７】
配列番号２に示すアミノ酸配列に対して少なくとも９３％の配列相同性を有することを特徴とする２２．５ｋＤ  ストレプトコッカス・ユベリス蛋白質又は少なくとも３３アミノ酸長の前記蛋白質の免疫原フラグメント。
【請求項８】
配列番号２に示すアミノ酸配列に対して少なくとも９４％、好ましくは９５％、より好ましくは９６％のアミノ酸配列相同性を有する請求項７に記載の２２．５ｋＤ  ストレプトコッカス・ユベリス蛋白質又はその免疫原フラグメント。
【請求項９】
前記蛋白質又は免疫原フラグメントが請求項１又は２に記載の核酸配列によりコードされることを特徴とする請求項７又は８に記載の２２．５ｋＤ  ストレプトコッカス・ユベリス蛋白質又は前記蛋白質の免疫原フラグメント。
【請求項１０】
ワクチンで使用するための請求項７から９のいずれか一項に記載の２２．５ｋＤ  ストレプトコッカス・ユベリス蛋白質又はその免疫原フラグメント。
【請求項１１】
ストレプトコッカス・ユベリス感染の治療用ワクチンの製造における、配列番号２に示すアミノ酸配列に対して少なくとも７０％、好ましくは８０％、より好ましくは８５％のアミノ酸配列相同性を有する２２．５ｋＤ  ストレプトコッカス・ユベリス蛋白質又は少なくとも６アミノ酸長の前記蛋白質の免疫原フラグメントの使用。
【請求項１２】
ストレプトコッカス・ユベリス感染の治療用ワクチンの製造における、請求項１もしくは２に記載の核酸配列、請求項３に記載のＤＮＡフラグメント、請求項４に記載の組換えＤＮＡ分子、請求項５に記載の生きた組換えキャリヤー、請求項６に記載の宿主細胞又は請求項７から９のいずれか一項に記載の蛋白質もしくはその免疫原フラグメントの使用。
【請求項１３】
配列番号２に示すアミノ酸配列に対して少なくとも７０％、好ましくは８０％、より好ましくは８５％のアミノ酸配列相同性を有する２２．５ｋＤ  ストレプトコッカス・ユベリス蛋白質又は少なくとも６アミノ酸長の前記蛋白質の免疫原フラグメントと、薬学的に許容可能なキャリヤーを含むことを特徴とするストレプトコッカス・ユベリス感染の治療用ワクチン。
【請求項１４】
請求項１もしくは２に記載の核酸配列、請求項３に記載のＤＮＡフラグメント、請求項４に記載の組換えＤＮＡ分子、請求項５に記載の生きた組換えキャリヤー、請求項６に記載の宿主細胞又は請求項７から９のいずれか一項に記載の蛋白質もしくはその免疫原フラグメントと、薬学的に許容可能なキャリヤーを含むことを特徴とするストレプトコッカス・ユベリス感染の治療用ワクチン。
【請求項１５】
請求項７から９のいずれか一項に記載の蛋白質又はその免疫原フラグメントに対する抗体と、薬学的に許容可能なキャリヤーを含むことを特徴とするストレプトコッカス・ユベリス感染の治療用ワクチン。
【請求項１６】
前記ワクチンがアジュバントを含むことを特徴とする請求項１３から１５のいずれか一項に記載のワクチン。
【請求項１７】
前記ワクチンがウシに病原性のウイルス又は微生物に由来する付加抗原、前記抗原に対する抗体又は前記抗原をコードする遺伝情報及び／又は医薬成分を含むことを特徴とする請求項１３から１６のいずれか一項に記載のワクチン。
【請求項１８】
前記ウシに病原性のウイルス又は微生物がウシヘルペスウイルス、ウシウイルス性下痢ウイルス、パラインフルエンザ３型ウイルス、ウシパラミキソウイルス、口蹄病ウイルス、パスツレラ・ヘモリチカ（Ｐａｓｔｅｕｒｅｌｌａ  ｈａｅｍｏｌｙｔｉｃａ）、ウシ呼吸器合胞体ウイルス、タイレリア（Ｔｈｅｉｌｅｒｉａ）種、バベシア（Ｂａｂｅｓｉａ）種、トリパノソーマ（Ｔｒｙｐａｎｏｓｏｍａ）種、アナプラズマ（Ａｎａｐｌａｓｍａ）種、ネオスポラ・カニナム（Ｎｅｏｓｐｏｒａ  ｃａｎｉｎｕｍ）、黄色ブドウ球菌、ストレプトコッカス・アガラクティエ（Ｓｔｒｅｐｔｏｃｏｃｃｕｓ  ａｇａｌａｃｔｉａｅ）、マイコプラズマ、大腸菌、エンテロバクター（Ｅｎｔｅｒｏｂａｃｔｅｒ）属、クレブシエラ（Ｋｌｅｂｓｉｅｌｌａ）属、シトロバクター（Ｃｉｔｒｏｂａｃｔｅｒ）属及びストレプトコッカス・デイスガラクティエ（Ｓｔｒｅｐｔｏｃｏｃｃｕｓ  ｄｙｓｇａｌａｃｔｉａｅ）から構成される群から選択されることを特徴とする請求項１７に記載のワクチン。
【請求項１９】
請求項１もしくは２に記載の核酸配列、請求項３に記載のＤＮＡフラグメント、請求項４に記載の組換えＤＮＡ分子、請求項５に記載の生きた組換えキャリヤー、請求項６に記載の宿主細胞、請求項７から９のいずれか一項に記載の蛋白質又は請求項７から９のいずれか一項に記載の蛋白質に対する抗体と、薬学的に許容可能なキャリヤーを混合することを含む請求項１３から１８のいずれか一項に記載のワクチンの製造方法。
【請求項２０】
適切な検出手段と、請求項１もしくは２に記載の核酸配列もしくはそのプライマー、又は請求項７から９のいずれか一項に記載の蛋白質もしくはその免疫原フラグメント、又は請求項７から９のいずれか一項に記載の蛋白質に対して反応性の抗体を含む診断キット。
【発明の詳細な説明】
【技術分野】
【０００１】
本発明は、ストレプトコッカス・ユベリス（Ｓｔｒｅｐｔｏｃｏｃｃｕｓ  ｕｂｅｒｉｓ）蛋白質をコードする核酸配列及び前記蛋白質の免疫原フラグメントをコードする前記核酸配列の部分と、前記核酸配列又はその部分を含むＤＮＡフラグメント、組換えＤＮＡ分子、生きた組換えキャリヤー及び宿主細胞に関する。本発明は、ストレプトコッカス・ユベリス蛋白質と前記配列によりコードされるその免疫原部分にも関する。更に、本発明は、前記核酸配列及びその部分、前記核酸配列又はその部分を含むＤＮＡフラグメント、組換えＤＮＡ分子、生きた組換えキャリヤー及び宿主細胞、蛋白質又はその免疫原部分並びに前記蛋白質又はその免疫原部分に対する抗体を含むワクチンに関する。更に、本発明は、ワクチン及びワクチン製造における前記蛋白質の使用に関する。更に、本発明は、診断又はワクチン接種を目的とする前記核酸配列、蛋白質又は抗体の使用に関する。最後に、本発明は前記核酸、蛋白質又は前記蛋白質に対する抗体を含む診断キットに関する。
【背景技術】
【０００２】
ウシの乳腺炎は乳房内感染後に一般に生じる乳腺炎症である。乳腺炎は主に細菌を原因とするが、マイコプラズマ、真菌及び藻類感染も乳腺炎の原因となることが知られている。
【０００３】
乳腺炎は最も損害の大きい乳牛疾患である。年間損害金額は米国だけで２０億ドルを超える。牛乳廃棄と牛乳生産低下による損害合計は乳腺炎損害の約７５％に相当し、動物損失、人件費及び獣医治療費が総損害の約２５％に相当する。
【０００４】
一般に、乳腺炎は伝染性乳腺炎と環境性乳腺炎の２種類に分けられる。伝染性乳腺炎はウシからウシに伝染する型の乳腺炎である。ウシからウシに感染する乳腺炎に関与する最重要病原体は黄色ブドウ球菌（Ｓｔａｐｈｙｌｏｃｏｃｃｕｓ  ａｕｒｅｕｓ）、アガラクティエ菌（Ｓｔｒｅｐｔｏｃｏｃｃｕｓ  ａｇａｌａｃｔｉａｅ）及びマイコプラズマである。環境性乳腺炎は環境中に存在する病原性微生物に起因する型の乳腺炎である。環境からウシに感染する乳腺炎の最も一般的な原因は大腸菌、エンテロバクター属、クレブシエラ属及びシトロバクター属等の大腸菌群と、ストレプトコッカス・ユベリス（Ｓｔｒｅｐｔｏｃｏｃｃｕｓ  ｕｂｅｒｉｓ）やストレプトコッカス・ディスガラクティエ（Ｓｔｒｅｐｔｏｃｏｃｃｕｓ  ｄｙｓｇａｌａｃｔｉａｅ）等の連鎖球菌種である。
【０００５】
乳腺炎が多因子疾患であることは明白であり、従って、乳腺炎を予防又は防除するためには数種の手段を取る必要がある。これらの手段の１つは微生物汚染のない環境を目指すことであり、これは非常に望ましいが、実際には不可能である。別の手段は医薬成分の使用であり、例えば抗生物質、より厳密には乳腺炎の治療に現在非常に一般的な治療薬である抗菌剤の大量使用である。
【０００６】
更に別の手段は当然のことながら乳腺炎に関与する各種病原体に対するワクチン接種である。従って、特に抗生物質の使用を避ける傾向が増していることから、新規で有効なワクチン、特に広域防御を提供するワクチンが必要であることは明白である。
【発明の開示】
【発明が解決しようとする課題】
【０００７】
本発明の目的は乳腺炎感染の治療用新規ワクチン成分を提供することである。
【課題を解決するための手段】
【０００８】
驚くべきことに、単独又は他のワクチン成分と併用して有価ワクチン成分として使用可能な新規ストレプトコッカス・ユベリス蛋白質が存在することが今回発見された。
【０００９】
この蛋白質をコードする遺伝子を今回クローニング及び配列決定し、その配列を配列番号１に示す。この遺伝子は分子量２２．５ｋＤの２００アミノ酸蛋白質（配列番号２に示す）をコードする。
【発明を実施するための最良の形態】
【００１０】
多数の異なる核酸配列が１種の同一蛋白質をコードする場合があることは当該分野で周知である。この現象はアミノ酸をコードする各三重項の２番目と特に３番目の塩基のゆらぎとして一般に知られている。この現象の結果、同一蛋白質をコードする２種の核酸配列が不均一になることがある。従って、２種の核酸配列が７０％程度の配列相同性であっても１種の同一蛋白質をコードする場合がある。
【００１１】
従って、一態様は２２．５ｋＤ  ストレプトコッカス・ユベリス蛋白質をコードする核酸配列又は前記蛋白質の免疫原フラグメントをコードする前記核酸配列の部分に関し、前記核酸配列又は前記その部分は配列番号１に示す２２．５ｋＤ  ストレプトコッカス・ユベリス蛋白質遺伝子の核酸配列に対して少なくとも８５％の相同性を有する。
【００１２】
免疫原フラグメントの概念は以下のように定義する。免疫原フラグメントをコードする核酸配列の長さは一般に少なくとも２１ヌクレオチドであるが、２４、２７、３０、３３又は３６ヌクレオチドが好ましい。
【００１３】
２２．５ｋＤの分子量はポリアクリルアミドゲルでゲル電気泳動により測定した値である。当該分野では多少の分子量変動を生じることが多いので、分子量は１９．５〜２５．５ｋＤとすることができる。従って、本発明の蛋白質の分子量は２２．５±３ｋＤであると解釈すべきである。
【００１４】
この２２．５ｋＤ  ストレプトコッカス・ユベリス蛋白質をコードする本発明の核酸配列又は前記蛋白質の免疫原フラグメントをコードする前記核酸配列の部分は配列番号１に示すストレプトコッカス・ユベリス蛋白質遺伝子の核酸配列に対して少なくとも９０％、好ましくは９３％、より好ましくは９５％の相同性を有する。
【００１５】
９８％、９９％又は１００％の相同性レベルが更に好ましい。
【００１６】
ヌクレオチド相同性レベルはｗｗｗ．ｎｃｂｉ．ｎｌｍ．ｎｉｈ．ｇｏｖ／ｂｌａｓｔ／ｂｌ２ｓｅｑ／ｂｌ２．ｈｔｍｌから入手可能なサブプログラム「ＢＬＡＳＴＮ」を選択することによりコンピュータープログラム「ＢＬＡＳＴ  ２  ＳＥＱＵＥＮＣＥＳ」を使用して決定することができる。
【００１７】
このプログラムについてはＴａｔｉａｎａ  Ａ．Ｔａｔｕｓｏｖａ，Ｔｈｏｍａｓ  Ｌ．Ｍａｄｄｅｎ  ＦＥＭＳ  Ｍｉｃｒｏｂｉｏｌ．Ｌｅｔｔｅｒｓ  １７４：２４７−２５０（１９９９）を参照されたい。使用するパラメーターは以下のデフォルトパラメーター：マッチのリワード：＋１、ミスマッチのペナルティ：−２、オープンギャップ：５、エクステンションギャップ：２、ギャップｘ＿ドロップオフ：５０である。
【００１８】
配列番号１に示す配列に相補的なヌクレオチド配列又は本発明の配列のタンデム配列を含むヌクレオチド配列も本発明の範囲に含まれる。
【００１９】
新規２２．５ｋＤ  ストレプトコッカス・ユベリス蛋白質をコードする核酸配列が本発明により開示されたため、この蛋白質を十分な量で得ることが今回初めて可能になった。これは例えば発現システムを使用して前記蛋白質をコードする遺伝子又はその免疫原フラグメントの全部又は一部を発現させることにより実施することができる。
【００２０】
従って、この態様のより好ましい形態では、本発明は本発明の核酸配列を含むＤＮＡフラグメントに関する。ＤＮＡフラグメントは本発明の核酸配列のキャリヤーとして機能するヌクレオチド配列である。このようなＤＮＡフラグメントは例えば本発明の核酸配列をクローニングするプラスミドとすることができる。このようなＤＮＡフラグメントは以下に記載するように、例えばプライマーとしてＤＮＡ量を増加したり、本発明の核酸配列を発現させるために有用である。
【００２１】
核酸配列の発現の必須要件は核酸配列がプロモーターの制御下におかれるように適切なプロモーターが核酸配列に機能的に連結していることである。当業者に自明のとおり、プロモーターの選択は蛋白質発現用宿主細胞として使用される細胞で遺伝子転写を誘導することが可能な任意真核、原核又はウイルスプロモーターに至る。
【００２２】
従って、この態様の更に好ましい形態は、本発明の核酸配列が機能的に連結したプロモーターの制御下におかれるように、本発明のＤＮＡフラグメント及び／又は核酸配列を含む組換えＤＮＡ分子に関する。これは例えば標準分子生物学技術により得ることができる（Ｍａｎｉａｔｉｓ／Ｓａｍｂｒｏｏｋ（Ｓａｍｂｒｏｏｋ，Ｊ．Ｍｏｌｅｃｕｌａｒ  ｃｌｏｎｉｎｇ：ａ  ｌａｂｏｒａｔｏｒｙ  ｍａｎｕａｌ，１９８９．ＩＳＢＮ  ０−８７９６９−３０９−６））。機能的に連結したプロモーターはそれらが連結されている核酸配列の転写を制御することが可能なプロモーターである。このようなプロモーターは発現に使用される細胞中で機能的である限り、新規遺伝子の天然プロモーターでもよいし、ストレプトコッカス・ユベリスの別のプロモーターでもよい。プロモーターは異種プロモーターでもよい。宿主細胞が細菌である場合には、使用可能な有用な発現制御配列としてはＴｒｐプロモーター及びオペレーター（Ｇｏｅｄｄｅｌら，Ｎｕｃｌ．Ａｃｉｄｓ  Ｒｅｓ．，８，４０５７，１９８０）；ｌａｃプロモーター及びオペレーター（Ｃｈａｎｇら，Ｎａｔｕｒｅ，２７５，６１５，１９７８）；外膜蛋白質プロモーター（Ｎａｋａｍｕｒａ，Ｋ．ａｎｄ  Ｉｎｏｕｇｅ，Ｍ．，ＥＭＢＯ  Ｊ．，１，７７１−７７５，１９８２）；バクテリオファージλプロモーター及びオペレーター（Ｒｅｍａｕｔ，Ｅ．ら，Ｎｕｃｌ．Ａｃｉｄｓ  Ｒｅｓ．，１１，４６７７−４６６８，１９８３）；α−アミラーゼ（Ｂ．ｓｕｂｔｉｌｉｓ）プロモーター及びオペレーター、終結配列並びに選択した宿主細胞に適合可能な他の発現エンハンサー及び制御配列が挙げられる。
【００２３】
宿主細胞が酵母である場合には、有用な発現制御配列としては例えばα−接合因子が挙げられる。昆虫細胞には、バキュロウイルスの多角体又はｐ１０プロモーターを使用することができる（Ｓｍｉｔｈ，Ｇ．Ｅ．ら，Ｍｏｌ．Ｃｅｌｌ．Ｂｉｏｌ．３，２１５６−６５，１９８３）。宿主細胞が脊椎動物に由来する場合には、有用な発現制御配列の例としては（ヒト）サイトメガロウイルス極初期プロモーター（Ｓｅｅｄ，Ｂ．ら，Ｎａｔｕｒｅ  ３２９，８４０−８４２，１９８７；Ｆｙｎａｎ，Ｅ．Ｆ．ら，ＰＮＡＳ  ９０，１１４７８−１１４８２，１９９３；Ｕｌｍｅｒ，Ｊ．Ｂ．ら，Ｓｃｉｅｎｃｅ  ２５９，１７４５−１７４８，１９９３）、ラウス肉腫ウイルスＬＴＲ（ＲＳＶ，Ｇｏｒｍａｎ，Ｃ．Ｍ．ら，ＰＮＡＳ  ７９，６７７７−６７８１，１９８２；Ｆｙｎａｎら，前出；Ｕｌｍｅｒら，前出）、ＭＰＳＶ  ＬＴＲ（Ｓｔａｃｅｙら，Ｊ．Ｖｉｒｏｌｏｇｙ  ５０，７２５−７３２，１９８４）、ＳＶ４０極初期プロモーター（Ｓｐｒａｇｕｅ  Ｊ．ら，Ｊ．Ｖｉｒｏｌｏｇｙ  ４５，７７３，１９８３）、ＳＶ−４０プロモーター（Ｂｅｒｍａｎ，Ｐ．Ｗ．ら，Ｓｃｉｅｎｃｅ，２２２，５２４−５２７，１９８３）、メタロチオネインプロモーター（Ｂｒｉｎｓｔｅｒ，Ｒ．Ｌ．ら，Ｎａｔｕｒｅ  ２９６，３９−４２，１９８２）、熱ショックプロモーター（Ｖｏｅｌｌｍｙら，Ｐｒｏｃ．Ｎａｔｌ．Ａｃａｄ．Ｓｃｉ．ＵＳＡ，８２，４９４９−５３，１９８５）、Ａｄ２の主要後期プロモーター及びβ−アクチンプロモーター（Ｔａｎｇら，Ｎａｔｕｒｅ  ３５６，１５２−１５４，１９９２）が挙げられる。調節配列としては更にターミネーター及びポリアデニル化配列も挙げられる。使用可能な配列としては周知のウシ成長ホルモンポリアデニル化配列、ＳＶ４０ポリアデニル化配列、ヒトサイトメガロウイルス（ｈＣＭＶ）ターミネーター及びポリアデニル化配列が挙げられる。
【００２４】
細菌、酵母、真菌、昆虫及び脊椎動物細胞発現システムは非常に多用されているシステムである。このようなシステムは当該分野で周知であり、一般に入手可能であり、例えばＣｌｏｎｔｅｃｈ  Ｌａｂｏｒａｔｏｒｉｅｓ，Ｉｎｃ．４０３０  Ｆａｂｉａｎ  Ｗａｙ，Ｐａｌｏ  Ａｌｔｏ，Ｃａｌｉｆｏｒｎｉａ  ９４３０３−４６０７，米国から市販されている。これらの発現システムに次いで寄生虫系発現システムが魅力的な発現システムである。このようなシステムは例えば仏国特許出願（公開番号２７１４０７４）やＵＳ  ＮＴＩＳ公開番号ＵＳ０８／０４３１０９（Ｈｏｆｆｍａｎ，Ｓ．ａｎｄ  Ｒｏｇｅｒｓ，Ｗ．：公開日１９９３年１２月１日）に記載されている。
【００２５】
本発明のこの態様の更に好ましい形態は本発明の２２．５ｋＤ  ストレプトコッカス・ユベリス蛋白質もしくはその免疫原フラグメントをコードする核酸配列、本発明のＤＮＡフラグメント又は本発明の組換えＤＮＡ分子を含む生きた組換えキャリヤー（ＬＲＣ）に関する。これらのＬＲＣは付加遺伝情報（この場合には本発明の２２．５ｋＤ  ストレプトコッカス・ユベリス蛋白質又はその免疫原フラグメントをコードする核酸配列）をクローニングした微生物又はウイルスである。このようなＬＲＣに感染したウシはキャリヤーの免疫原だけでなく、ＬＲＣに遺伝コード（例えば本発明の新規２２．５ｋＤ  ストレプトコッカス・ユベリス蛋白質遺伝子）を付加的にクローニングする蛋白質の免疫原部分に対しても免疫応答を発生する。
【００２６】
細菌ＬＲＣの例としては、当該分野で公知の弱毒サルモネラ株を非常に有利に使用することができる。
【００２７】
更に、生きた組換えキャリヤー寄生虫も例えばＶｅｒｍｅｕｌｅｎ，Ａ．Ｎ．（Ｉｎｔ．Ｊｏｕｒｎ．Ｐａｒａｓｉｔｏｌ．２８：１１２１−１１３０（１９９８））に記載されている。
【００２８】
更に、ＬＲＣウイルスも核酸配列をターゲット細胞に導入する手段として使用することができる。生きた組換えキャリヤーウイルスはベクターウイルスとも言う。ベクターとして多用されるウイルスはワクシニアウイルス（Ｐａｎｉｃａｌｉら；Ｐｒｏｃ．Ｎａｔｌ．Ａｃａｄ．Ｓｃｉ．ＵＳＡ，７９：４９２７（１９８２））、ヘルペスウイルス（Ｅ．Ｐ．Ａ．０４７３２１０Ａ２）、及びレトロウイルス（Ｖａｌｅｒｉｏ．Ｄ．ら；Ｂａｕｍ，Ｓ．Ｊ．，Ｄｉｃｋｅ，Ｋ．Ａ．，Ｌｏｔｚｏｖａ，Ｅ．ａｎｄ  Ｐｌｕｚｎｉｋ，Ｄ．Ｈ．（Ｅｄｓ．），Ｅｘｐｅｒｉｍｅｎｔａｌ  Ｈａｅｍａｔｏｌｏｇｙ  ｔｏｄａｙ−１９８８．Ｓｐｒｉｎｇｅｒ  Ｖｅｒｌａｇ，Ｎｅｗ  Ｙｏｒｋ：ｐｐ．９２−９９（１９８９））である。
【００２９】
挿入した本発明の核酸配列の発現を宿主動物で誘導することが可能な選択細菌、寄生虫又はウイルスのゲノムに組換え核酸配列を導入するためには当該分野で周知のｉｎ  ｖｉｖｏ相同組換え技術を使用することができる。
【００３０】
本発明のこの態様の更に別の形態は機能的に連結したプロモーターの制御下に本発明の蛋白質をコードする核酸配列、前記核酸配列を含むＤＮＡフラグメント又は前記核酸配列を含む組換えＤＮＡ分子を含む宿主細胞に関する。この形態は更に、本発明の２２．５ｋＤ  ストレプトコッカス・ユベリス蛋白質又はその免疫原フラグメントをコードする核酸分子を含む生きた組換えキャリヤーを含む宿主細胞にも関する。
【００３１】
宿主細胞は例えば大腸菌、枯草菌及び乳酸桿菌種等の細菌由来細胞とすることができ、ｐＢＲ３２２等の細菌系プラスミド、又はｐＥＸ−、ｐＥＴ−、ｐＧＥＸ−シリーズ等の細菌発現ベクター、又はバクテリオファージと併用する。宿主細胞は真核起源でもよく、例えば酵母細胞と酵母特異的ベクター分子の併用や、高等真核細胞としては、例えば昆虫細胞（Ｌｕｃｋｏｗら；Ｂｉｏ−ｔｅｃｈｎｏｌｏｇｙ  ６：４７−５５（１９８８））とベクター又は組換えバキュロウイルスの併用、植物細胞と例えばＴｉ−プラスミド系ベクター又は植物ウイルスベクター（Ｂａｒｔｏｎ，Ｋ．Ａ．ら；Ｃｅｌｌ  ３２：１０３３（１９８３））の併用、Ｈｅｌａ細胞、チャイニーズハムスター卵巣細胞（ＣＨＯ）又はＣｒａｎｄｅｌｌ  Ｆｅｌｉｎｅネコ腎細胞等の哺乳動物細胞と適当なベクター又は組換えウイルスの併用が挙げられる。
【００３２】
本発明の別の態様は新規２２．５ｋＤ  ストレプトコッカス・ユベリス蛋白質及び本発明のその免疫原フラグメントに関する。
【００３３】
免疫原フラグメントの概念は以下のように定義する。
【００３４】
この態様の一形態は２２．５ｋＤ  ストレプトコッカス・ユベリス蛋白質及び少なくとも３３アミノ酸長のその免疫原フラグメントに関し、前記蛋白質又は免疫原フラグメントは配列番号２に示すアミノ酸配列に対して好適度を増す順に少なくとも９３％、好ましくは９４％、より好ましくは９５％又は９６％の配列相同性を有する。
【００３５】
好適度を増す順に９７％、９８％、９９％又は１００％の相同性レベルが更に好ましい。
【００３６】
本発明のストレプトコッカス・ユベリス蛋白質の免疫原フラグメントは少なくとも３３、より好ましくは好適度を増す順に３５、３８、４１、４５又は５０アミノ酸長である。
【００３７】
この態様のより好ましい形態は本発明の核酸配列によりコードされる２２．５ｋＤ  ストレプトコッカス・ユベリス蛋白質及び前記蛋白質の免疫原フラグメントに関する。
【００３８】
蛋白質相同性レベルはｗｗｗ．ｎｃｂｉ．ｎｌｍ．ｎｉｈ．ｇｏｖ／ｂｌａｓｔ／ｂｌ２ｓｅｑ／ｂｌ２．ｈｔｍｌから入手可能なサブプログラム「ＢＬＡＳＴＰ」を選択することによりコンピュータープログラム「ＢＬＡＳＴ  ２  ＳＥＱＵＥＮＣＥＳ」を使用して決定することができる。
【００３９】
このプログラムについてはＴａｔｉａｎａ  Ａ．Ｔａｔｕｓｏｖａ，Ｔｈｏｍａｓ  Ｌ．Ｍａｄｄｅｎ  ＦＥＭＳ  Ｍｉｃｒｏｂｉｏｌ．Ｌｅｔｔｅｒｓ  １７４：２４７−２５０（１９９９）を参照されたい。使用するマトリックスは「ｂｌｏｓｕｍ６２」である。使用するパラメーターは以下のデフォルトパラメーター：オープンギャップ：１１、エクステンションギャップ：１、ギャップｘ＿ドロップオフ：５０である。
【００４０】
当然のことながら、本発明に含まれる特定蛋白質には個々のストレプトコッカス・ユベリス株間に自然変異が存在する可能性がある。これらの変異は配列全体のアミノ酸変異でもよいし、前記配列におけるアミノ酸の欠失、置換、挿入、逆位又は付加でもよい。生物及び免疫活性を本質的に変化させないアミノ酸置換は例えばＮｅｕｒａｔｈらにより“Ｔｈｅ  Ｐｒｏｔｅｉｎｓ”Ａｃａｄｅｍｉｃ  Ｐｒｅｓｓ  Ｎｅｗ  Ｙｏｒｋ（１９７９）に記載されている。近縁アミノ酸間のアミノ酸置換又は進化で頻出している置換は特にＳｅｒ／Ａｌａ、Ｓｅｒ／Ｇｌｙ、Ａｓｐ／Ｇｌｙ、Ａｓｐ／Ａｓｎ、Ｉｌｅ／Ｖａｌである（Ｄａｙｈｏｆ，Ｍ．Ｄ．，Ａｔｌａｓ  ｏｆ  ｐｒｏｔｅｉｎ  ｓｅｑｕｅｎｃｅ  ａｎｄ  ｓｔｒｕｃｔｕｒｅ，Ｎａｔ．Ｂｉｏｍｅｄ．Ｒｅｓ．Ｆｏｕｎｄ．，Ｗａｓｈｉｎｇｔｏｎ  Ｄ  Ｃ．，１９７８，ｖｏｌ．５，ｓｕｐｐｌ．３参照）。他のアミノ酸置換としては、Ａｓｐ／Ｇｌｕ、Ｔｈｒ／Ｓｅｒ、Ａｌａ／Ｇｌｙ、Ａｌａ／Ｔｈｒ、Ｓｅｒ／Ａｓｎ、Ａｌａ／Ｖａｌ、Ｔｈｒ／Ｐｈｅ、Ａｌａ／Ｐｒｏ、Ｌｙｓ／Ａｒｇ、Ｌｅｕ／Ｉｌｅ、Ｌｅｕ／Ｖａｌ及びＡｌａ／Ｇｌｕが挙げられる。この情報に基づき、ＬｉｐｍａｎとＰｅａｒｓｏｎは迅速で高感度の蛋白質比較を行い（Ｓｃｉｅｎｃｅ，２２７，１４３５−１４４１，１９８５）、相同蛋白質間の機能的類似性を決定する方法を開発した。得られる蛋白質がその免疫反応性を維持する限り、本発明の典型的態様のこのようなアミノ酸置換形と欠失及び／又は挿入をもつ変異形も本発明の範囲に含まれる。
【００４１】
本発明のストレプトコッカス・ユベリス蛋白質が異なるフィールド単離株から単離した場合に、同一免疫特性をもつ同一蛋白質でありながら約７０％の相同性レベルとなる場合がある理由は上記から説明される。ストレプトコッカス・ユベリス感染又は少なくとも感染の臨床症状に対して免疫応答を誘導することが可能な蛋白質を提供する本発明の所定蛋白質のアミノ酸配列のこのような変異は「免疫原性に本質的に影響しない」とみなされる。
【００４２】
他方、蛋白質を例えばワクチン接種目的又は抗体産生に使用する場合には、全蛋白質を使用する必要はない。単独又は例えばＫＬＨ等のキャリヤーと結合して該当蛋白質に対する免疫応答を誘導することが可能な該当蛋白質のフラグメント（所謂免疫原フラグメント）を使用することもできる。「免疫原フラグメント」とは脊椎動物宿主で免疫応答を誘導する能力を維持している全長蛋白質のフラグメントとみなされ、例えばＢ又はＴ細胞エピトープを含む。つまり、免疫原フラグメントは本発明の２２．５ｋＤ  ストレプトコッカス・ユベリス蛋白質に対する免疫応答を誘導することが可能なフラグメントである。現在、抗原フラグメント（決定基）をコードするＤＮＡフラグメントを容易に同定する方法として各種のものを利用できる。Ｇｅｙｓｅｎら（特許出願ＷＯ８４／０３５６４、特許出願ＷＯ８６／０６４８７、米国特許第４，８３３，０９２号、Ｐｒｏｃ．Ｎａｔｌ  Ａｃａｄ．Ｓｃｉ．８１：３９９８−４００２（１９８４），Ｊ．Ｉｍｍ．Ｍｅｔｈ．１０２，２５９−２７４（１９８７））により記載されている方法（所謂ＰＥＰＳＣＡＮ法）は蛋白質の免疫学的に重要な領域であるエピトープの検出方法として簡便で迅速な確立方法である。この方法は世界中で使用されており、従って、当業者に周知である。この（経験的）方法はＢ細胞エピトープの検出に特に適している。また、任意蛋白質をコードする遺伝子の配列が与えられるならば、コンピューターアルゴリズムにより現在公知のエピトープとのその配列及び／又は構造一致に基づいて、特定蛋白質フラグメントを免疫学的に重要なエピトープであると指定することができる。これらの領域の決定はＨｏｐｐとＷｏｏｄｓ（Ｐｒｏｃ．Ｎａｔｌ．Ａｃａｄ．Ｓｃｉ．７８：３８２４８−３８２８（１９８１））による疎水性基準とＣｈｏｕとＦａｓｍａｎ（Ａｄｖａｎｃｅｓ  ｉｎ  Ｅｎｚｙｍｏｌｏｇｙ  ４７：４５−１４８（１９８７）及び米国特許第４，５５４，１０１号）による二次構造特徴を組み合わせることにより行われる。同様に、Ｔ細胞エピトープもＢｅｒｚｏｆｓｋｙの両親媒性基準（Ｓｃｉｅｎｃｅ  ２３５，１０５９−１０６２（１９８７）及び米国特許出願ＮＴＩＳ  ＵＳ  ０７／００５，８８５）を使用してコンピューターにより配列から予測することができる。概要は一般原理についてはＳｈａｎ  Ｌｕ：Ｔｉｂｔｅｃｈ  ９：２３８−２４２（１９９１），マラリアエピトープについてはＧｏｏｄら；Ｓｃｉｅｎｃｅ  ２３５：１０５９−１０６２（１９８７），考察についてはＬｕ；Ｖａｃｃｉｎｅ  １０：３−７（１９９２）、ＨＩＶ−エピトープについてはＢｅｒｚｏｆｓｋｙ；Ｔｈｅ  ＦＡＳＥＢ  Ｊｏｕｒｎａｌ  ５：２４１２−２４１８（１９９１）に記載されている。免疫原フラグメントは一般に最低６アミノ酸長、より一般には８アミノ酸、好ましくは９アミノ酸以上、例えば９、１０、１２、１５又は２０アミノ酸以上である。従って、このようなフラグメントをコードする核酸配列は少なくとも１８、より一般には２４、好ましくは２７、３０、３６、４５又は６０核酸長以上である。
【００４３】
従って、本発明の更に別の態様の一形態は上記のような本発明の２２．５ｋＤ  ストレプトコッカス・ユベリス蛋白質又はその免疫原フラグメントと薬学的に許容可能なキャリヤーを併有するストレプトコッカス・ユベリス感染の治療用ワクチンに関する。
【００４４】
本発明の更に別の態様はワクチンで使用するための本発明の２２．５ｋＤ  ストレプトコッカス・ユベリス蛋白質又はその免疫原フラグメントに関する。
【００４５】
本発明の更に別の態様はストレプトコッカス・ユベリス感染の治療用ワクチンの製造における、配列番号２に示すアミノ酸配列に対して少なくとも７０％、好ましくは８０％、より好ましくは８５％のアミノ酸配列相同性を有する２２．５ｋＤ  ストレプトコッカス・ユベリス蛋白質、又は少なくとも６アミノ酸長の前記蛋白質の免疫原フラグメントの使用に関する。
【００４６】
好適度を増す順に９０％、９５％、９７％、９８％、９９％又は１００％の配列相同性が更に好ましい。
【００４７】
本発明の更に別の態様は、ワクチン、特にストレプトコッカス・ユベリス感染の治療用ワクチンの製造における、本発明の核酸配列、ＤＮＡフラグメント、組換えＤＮＡ分子、生きた組換えキャリヤー、宿主細胞又は蛋白質もしくはその免疫原フラグメントの使用に関する。
【００４８】
本発明のワクチンの製造方法の一例は、細菌を増殖させた後に、２２．５ｋＤ  ストレプトコッカス・ユベリス蛋白質又はその免疫原フラグメントを細菌から生化学的に精製する方法である。しかし、これは非常に時間のかかるワクチン製造方法である。
【００４９】
従って、２２．５ｋＤ  ストレプトコッカス・ユベリス蛋白質又はその免疫原フラグメントをコードする遺伝子の発現産物をワクチンで使用すると著しく簡便である。これは２２．５ｋＤ蛋白質をコードする遺伝子の核酸配列が本発明で提供されることから今回初めて可能になった。
【００５０】
これらの遺伝子の発現産物をベースとするワクチンは、本発明の蛋白質又は本発明のその免疫原フラグメントを以下に記載するような薬学的に許容可能なキャリヤーと混合することにより容易に製造することができる。
【００５１】
あるいは、本発明のワクチンは本発明の蛋白質又はその免疫原フラグメントを発現することが可能な上記生きた組換えキャリヤーを含むことができる。例えばサルモネラキャリヤー又はウイルスキャリヤー（例えばヘルペスウイルスベクター）をベースとするこのようなワクチンはストレプトコッカス・ユベリスの自然感染経路によく似ているという点がサブユニットワクチンよりも有利である。更に、自己増殖性であるため、免疫に必要な組換えキャリヤーが少量ですむという利点もある。
【００５２】
ワクチンは本発明の蛋白質又はその免疫原フラグメントを含む上記宿主細胞をベースとすることもできる。
【００５３】
上記全ワクチンは能動的ワクチン接種に利用することができ、即ち宿主の防御系を活性化する。
【００５４】
あるいは、例えばウサギで抗体を産生させることもできるし、下記抗体産生細胞株から抗体を得ることもできる。このような抗体をその後、ウシに投与することができる。このワクチン接種方法は受動的ワクチン接種であり、動物が既に感染しており、自然免疫応答を誘導する時間がない場合に選択されるワクチン接種である。これは急に高感染圧を受け易い動物にワクチン接種するために好適な方法でもある。本発明の蛋白質又はその免疫原フラグメントに対する抗体を投与すると、これらの場合にストレプトコッカス・ユベリスを妨害する。これはストレプトコッカス・ユベリス増殖を低下又は停止するという利点がある。
【００５５】
従って、本発明のこの態様の他の一形態は、本発明のストレプトコッカス・ユベリス蛋白質又は前記蛋白質の免疫原フラグメントに対する抗体と薬学的に許容可能なキャリヤーを含むストレプトコッカス・ユベリス感染の治療用ワクチンに関する。
【００５６】
本発明の更に別の態様は本発明のストレプトコッカス・ユベリス蛋白質又は前記蛋白質の免疫原フラグメントに対する抗体に関する。
【００５７】
本発明の抗体の大規模製造方法も当該分野で公知である。このような方法は本発明の蛋白質をコードする遺伝情報（のフラグメント）をファージディスプレイ用繊維状ファージにクローニングすることにより実施される。このような技術は例えばｈｔｔｐ：／／ａｘｉｍｔ１．ｉｍｔ．ｕｎｉ−ｍａｒｂｕｒｇ．ｄｅ／〜ｒｅｋ／ａｅｐｐｈａｇｅ．ｈｔｍｌ．に公表されている“Ａｎｔｉｂｏｄｙ  Ｅｎｇｉｎｅｅｒｉｎｇ  Ｐａｇｅ”の“ｆｉｌａｍｅｎｔｏｕｓ  ｐｈａｇｅ  ｄｉｓｐｌａｙ”欄や、研究論文としてＣｏｒｔｅｓｅ，Ｒ．ら（１９９４）によりＴｒｅｎｄｓ  Ｂｉｏｔｅｃｈｎ．１２：２６２−２６７．、Ｃｌａｃｋｓｏｎ，Ｔ．＆  Ｗｅｌｌｓ，Ｊ．Ａ．（１９９４）によりＴｒｅｎｄｓ  Ｂｉｏｔｅｃｈｎ．１２：１７３−１８３、Ｍａｒｋｓ，Ｊ．Ｄ．ら，（１９９２）によりＪ．Ｂｉｏｌ．Ｃｈｅｍ．２６７：１６００７−１６０１０、Ｗｉｎｔｅｒ，Ｇ．ら，（１９９４）によりＡｎｎｕ．Ｒｅｖ．Ｉｍｍｕｎｏｌ．１２：４３３−４５５、及びＬｉｔｔｌｅ，Ｍ．ら，（１９９４）によりＢｉｏｔｅｃｈｎ．Ａｄｖ．１２：５３９−５５５に記載されている。その後、ファージを使用してラクダ重鎖抗体を発現するラクダ発現ライブラリーをスクリーニングする（Ｍｕｙｌｄｅｒｍａｎｓ，Ｓ．ａｎｄ  Ｌａｕｗｅｒｅｙｓ，Ｍ．，Ｊｏｕｒｎ．Ｍｏｌｅｃ．Ｒｅｃｏｇｎ．１２：１３１−１４０（１９９９）及びＧｈａｈｒｏｕｄｉ，Ｍ．Ａ．ら，ＦＥＢＳ  Ｌｅｔｔｅｒｓ  ４１４：５１２−５２６（１９９７））。所望抗体を発現するライブラリーからの細胞を複製後、抗体の大量発現に使用することができる。
【００５８】
更に別の態様は本発明の抗体と薬学的に許容可能なキャリヤーを混合することを含む本発明のワクチンの製造方法に関する。
【００５９】
別の効率的なワクチン接種方法は該当抗原をコードするＤＮＡによる直接ワクチン接種である。蛋白質をコードするＤＮＡによる直接ワクチン接種は多種多様の蛋白質で成功している。（例えばＤｏｎｎｅｌｌｙら，Ｔｈｅ  Ｉｍｍｕｎｏｌｏｇｉｓｔ  ２：２０−２６（１９９３）に記載）。このワクチン接種方法もストレプトコッカス・ユベリス感染に対するウシのワクチン接種に魅力的である。従って、本発明のこの態様の更に別の形態は本発明の蛋白質もしくはその免疫原フラグメントをコードする核酸配列、前記核酸配列を含むＤＮＡフラグメント、又は本発明の組換えＤＮＡ分子と薬学的に許容可能なキャリヤーを含むワクチンに関する。
【００６０】
本発明のＤＮＡワクチンで使用するのに適したＤＮＡプラスミドの例は細菌、真核及び酵母宿主細胞用の従来のクローニング又は発現プラスミドであり、前記プラスミドの多くは市販されている。このようなプラスミドの周知例はｐＢＲ３２２とｐｃＤＮＡ３（Ｉｎｖｉｔｒｏｇｅｎ）である。本発明のＤＮＡフラグメント又は組換えＤＮＡ分子はヌクレオチド配列の蛋白質発現を誘導することができなければならない。ＤＮＡフラグメント又は組換えＤＮＡ分子は１種以上の本発明のヌクレオチド配列を含むことができる。更に、ＤＮＡフラグメント又は組換えＤＮＡ分子は非メチル化ＣｐＧジヌクレオチドを有する免疫刺激オリゴヌクレオチドや、他の抗原蛋白質又は補助サイトカインをコードするヌクレオチド配列等の他のヌクレオチド配列を含むことができる。
【００６１】
本発明のワクチンで使用する本発明のヌクレオチド配列又は本発明のヌクレオチド配列を含むＤＮＡプラスミドは転写調節配列に機能的に連結することが好ましく、裸でもよいし、送達システムにパッケージングしてもよい。適切な送達システムは脂質小胞体、免疫刺激複合体（ｉｓｃｏｍ）、デンドロマー、ニオソーム、多糖マトリックス等（詳細については下記参照）であり、いずれも当該分野で周知である。上記のようなサルモネラ種等の生きた弱毒細菌や、ヘルペスウイルスベクター等の生きた弱毒ウイルスも送達システムとして非常に適切である。
【００６２】
この態様の更に別の形態は本発明の組換えＤＮＡ分子を含むワクチンに関する。
【００６３】
ＤＮＡワクチンは例えば無針注射器の使用等の皮内投与により簡単に投与することができる。この投与方法はワクチン接種すべき動物の細胞にＤＮＡを直接送達する。１０ｐｇ〜１０００μｇのＤＮＡ量で良好な結果が得られる。１〜１００μｇのμｇ範囲の量を使用することが好ましい。
【００６４】
別の態様では、本発明のワクチンは更にウシ病原生物及びウイルスに由来する１種以上の抗原、前記抗原に対する抗体又は前記抗原をコードする遺伝情報及び／又は抗生物質等の医薬成分を含む。
【００６５】
当然のことながら、前記抗原、前記抗原に対する抗体、又は遺伝情報は例えば別のストレプトコッカス・ユベリス抗原等のストレプトコッカス・ユベリス起源とすることができる。また、別のウシ病原生物又はウイルスから選択される抗原、抗体又は遺伝情報でもよい。このような生物及びウイルスはウシヘルペスウイルス、ウシウイルス性下痢ウイルス、パラインフルエンザ３型ウイルス、ウシパラミキソウイルス、口蹄病ウイルス、パスツレラ・ヘモリチカ（Ｐａｓｔｅｕｒｅｌｌａ  ｈａｅｍｏｌｙｔｉｃａ）、ウシ呼吸器合胞体ウイルス、タイレリア（Ｔｈｅｉｌｅｒｉａ）種、バベシア（Ｂａｂｅｓｉａ）種、トリパノソーマ（Ｔｒｙｐａｎｏｓｏｍａ）種、アナプラズマ（Ａｎａｐｌａｓｍａ）種、ネオスポラ・カニナム（Ｎｅｏｓｐｏｒａ  ｃａｎｉｎｕｍ）、ストレプトコッカス・アガラクティエ（Ｓｔａｐｈｙｌｏｃｏｃｃｕｓ  ａｕｒｅｕｓ）、黄色ブドウ球菌（Ｓｔｒｅｐｔｏｃｏｃｃｕｓ  ａｇａｌａｃｔｉａｅ）、マイコプラズマ、大腸菌、エンテロバクター（Ｅｎｔｅｒｏｂａｃｔｅｒ）属、クレブシエラ（Ｋｌｅｂｓｉｅｌｌａ）属、シトロバクター（Ｃｉｔｒｏｂａｃｔｅｒ）属及びストレプトコッカス・ディスガラクティエ（Ｓｔｒｅｐｔｏｃｏｃｃｕｓ  ｄｙｓｇａｌａｃｔｉａｅ）から構成される群から選択することが好ましい。
【００６６】
２２．５ｋＤ  ストレプトコッカス・ユベリス蛋白質をベースとするワクチンはマーカーワクチンとしても非常に適切である。マーカーワクチンは、例えば野生型感染により誘導される抗体パネルと異なる特徴的抗体パネルに基づいて、ワクチン接種済みウシとフィールド感染ウシを区別することができるワクチンである。例えば、野生型細菌に存在する免疫原性蛋白質がワクチンに存在しない場合に異なる抗体パネルが誘導され、その場合、宿主はワクチン接種後に該当蛋白質に対する抗体を産生しない。従って、生きた野生型弱毒ないし不活化完全ストレプトコッカス・ユベリスをベースとするワクチンは細菌蛋白質の全部又は大半に対する抗体を誘導するが、本発明の２２．５ｋＤ  ストレプトコッカス・ユベリス蛋白質をベースとするワクチンは２２．５ｋＤ蛋白質に対する抗体しか誘導しない。
【００６７】
ウシ由来血清を試験し、ウシが２２．５ｋＤ蛋白質ワクチンを接種されているか又はストレプトコッカス・ユベリスフィールド感染しているかを調べるためには、例えば別の蛋白質、即ち２２．５ｋＤ  ストレプトコッカス・ユベリス蛋白質以外の蛋白質を添加したウェルと精製２２．５ｋＤ  ストレプトコッカス・ユベリス蛋白質のみを添加したウェルを使用する単純ＥＬＩＳＡ試験で十分である。
【００６８】
本発明の全ワクチンは薬学的に許容可能なキャリヤーを含む。薬学的に許容可能なキャリヤーは、例えば滅菌水又は滅菌生理食塩水とすることができる。より複雑な形態では、キャリヤーは例えば緩衝液とすることができる。
【００６９】
ワクチンの製造方法は本発明の蛋白質又はその免疫原フラグメント、及び／又は前記蛋白質又はその免疫原フラグメントに対する抗体、及び／又は本発明の核酸配列及び／又はＤＮＡフラグメント、組換えＤＮＡ分子、生きた組換えキャリヤー又は宿主細胞と、薬学的に許容可能なキャリヤーを混合する。
【００７０】
本発明のワクチンは、好ましい形態では更に免疫刺激物質（所謂アジュバント）を添加することができる。アジュバントは一般に非特異的に宿主の免疫応答を高める物質を含む。多種多様のアジュバントが当該分野で公知である。ウシワクチンで多用されているアジュバントの例はムラミルジペプチダーゼ、リポ多糖、数種のグルカン及びグリカン並びにＣａｒｂｏｐｏｌ（登録商標）（ホモポリマー）である。
【００７１】
ワクチンは更に所謂「ビヒクル」を含むことができる。ビヒクルは蛋白質が共有結合せずに接着する化合物である。このようなビヒクルは例えばバイオマイクロカプセル、アルギン酸マイクロカプセル、リポソーム及びマクロゾルであり、いずれも当該分野で公知である。
【００７２】
抗原をビヒクルに部分的に埋込んだこのようなビヒクルの特殊形が所謂ＩＳＣＯＭ（ＥＰ  １０９．９４２，ＥＰ  １８０．５６４，ＥＰ  ２４２．３８０）である。更に、ワクチンは１種以上の適切な表面活性化合物又は乳化剤（例えばＳｐａｎ又はＴｗｅｅｎ）を添加することができる。
【００７３】
多くの場合には、例えば易分解性蛋白質を分解から保護するため、ワクチンの保存期間を延ばすため、又は凍結乾燥効率を改善するためにワクチンを安定剤と混合する。有用な安定剤は例えばＳＰＧＡ（Ｂｏｖａｒｎｉｋら；Ｊ．Ｂａｃｔｅｒｉｏｌｏｇｙ  ５９：５０９（１９５０））、炭水化物（例えばソルビトール、マンニトール、トレハロース、澱粉、スクロース、デキストラン又はグルコース）、蛋白質（例えばアルブミン又はカゼインもしくはその分解物）、及び緩衝液（例えばアルカリ金属リン酸塩）である。
【００７４】
更に、ワクチンを生理的に許容し得る希釈剤に懸濁してもよい。言うまでもなく、他のアジュバント添加、ビヒクル化合物もしくは希釈剤添加、乳化又は蛋白質安定化方法も本発明で実施される。
【００７５】
本発明の蛋白質又はその免疫原フラグメントをベースとする本発明のワクチンは動物１頭当たり蛋白質１〜１００μｇを投与すると非常に適切であるが、一般により少量を使用することもできる。１００μｇを上回る用量は免疫学的には非常に適切であるが、商業的理由であまり魅力的ではない。
【００７６】
上記ＬＲＣ−ウイルス及び細菌等の生きた弱毒組換えキャリヤーをベースとするワクチンは感染中に自己増殖するので著しく低用量を投与することができる。従って、非常に適切な量は細菌及びウイルスのいずれについても１０３〜１０９ＣＦＵ／ＰＦＵである。
【００７７】
本発明のワクチンは、例えば皮内、皮下、筋肉内、腹腔内、静脈内、又は粘膜表面（例えば経口又は鼻腔内）投与することができる。
【００７８】
疾患に対する有効な防御のためには、ストレプトコッカス・ユベリス感染の迅速で正確な診断が重要である。
【００７９】
従って、本発明の別の目的はストレプトコッカス・ユベリス感染の検出に適した診断ツールを提供することである。
【００８０】
本発明の核酸配列、蛋白質及び抗体は診断用にも適している。
【００８１】
従って、本発明の別の態様は診断で使用するための本発明の核酸配列、蛋白質及び抗体に関する。
【００８２】
本発明の核酸配列又はそのフラグメントはウシにおけるストレプトコッカス・ユベリスの存在を検出するために使用することができる。ストレプトコッカス・ユベリスに感染したウシから採取したサンプルは、本発明の蛋白質をコードする核酸配列を含めて前記細菌に由来する核酸物質を含有している。これらの核酸配列は本発明の核酸配列とハイブリダイズする。本発明の核酸配列に対して反応性の核酸配列の適切な検出方法としてはハイブリダイゼーション法が挙げられ、限定されないが、ＰＣＲ法とＮＡＳＢＡ法が挙げられる。従って、本発明の核酸配列、特に配列番号１に示す配列はＰＣＲ及び／又はＮＡＳＢＡ法で使用するためのプローブとプライマーを作製するために使用することができる。
【００８３】
ストレプトコッカス・ユベリスの検出用診断試験キットは、例えば被験ウシから単離した細菌核酸と反応させるためのツールを含むことができる。このようなツールは、例えば本発明の核酸配列をベースとする特異的プローブ又は（ＰＣＲ）プライマー（プライマーフラグメントとも言う）である。ストレプトコッカス・ユベリスの遺伝物質が動物に存在する場合には、例えば特異的ＰＣＲプライマーと特異的に結合し、例えばｃＤＮＡ合成後にＰＣＲ反応で増幅される。その後、ＰＣＲ増幅産物をＤＮＡゲル電気泳動で容易に検出することができる。
【００８４】
標準的なＰＣＲに関する教科書はストレプトコッカス・ユベリス  ＤＮＡとの選択的ＰＣＲ反応用プライマーの長さを決定する方法を記載している。少なくとも１２ヌクレオチドのヌクレオチド配列を有するプライマーフラグメントを使用することが多いが、１５より多い、より好ましくは１８ヌクレオチドのプライマーは多少選択性が高い。特に、少なくとも２０、好ましくは少なくとも３０ヌクレオチド長のプライマーが非常に一般に適用可能である。ＰＣＲ法はＤｉｅｆｆｅｎｂａｃｈ  ＆  Ｄｒｅｋｓｌｅｒ；ＰＣＲ  ｐｒｉｍｅｒｓ，ａ  ｌａｂｏｒａｔｏｒｙ  ｍａｎｕａｌ．ＩＳＢＮ  ０−８７９６９−４４７−５（１９９５）に詳細に記載されている。従って、好適度を増す順に少なくとも１２、好ましくは１５、より好ましくは１８、更に好ましくは２０、２２、２５、３０、３５又は４０ヌクレオチド長であり、核酸配列又はその部分が配列番号１に示す核酸配列に対して少なくとも７０％の相同性を有する本発明の核酸配列又は前記核酸配列のプライマーも本発明に含まれる。プライマーは少なくとも１２ヌクレオチド長であり、配列番号１に示す核酸配列に対して好適度を増す順に少なくとも７０％、より好ましくは８０％、８５％、９０％、９５％、９８％、９９％又は１００％の相同性を有するとみなされる。このような核酸配列は、それらがコードするＤＮＡの量又はハイブリダイゼーション反応を増すためにＰＣＲ反応で、プライマーフラグメントとして使用することができる。この結果、例えば上記のようにストレプトコッカス・ユベリスの検出用診断ツールとして使用するための特定ヌクレオチド配列をブロット上で迅速に増幅又は検出することが可能になる。
【００８５】
遺伝物質の別の試験は、例えばスワブから得られた細菌物質の増殖後に古典的ＤＮＡ精製を行い、その後に放射活性又は色標識プライマーフラグメントとの古典的ハイブリダイゼーションを行う。色標識フラグメントと放射性標識フラグメントを一般に検出手段と言う。ＰＣＲ反応とハイブリダイゼーション反応はいずれも当該分野で周知であり、例えばＭａｎｉａｔｉｓ／Ｓａｍｂｒｏｏｋ（Ｓａｍｂｒｏｏｋ，Ｊ．ら．Ｍｏｌｅｃｕｌａｒ  ｃｌｏｎｉｎｇ：ａ  ｌａｂｏｒａｔｏｒｙ  ｍａｎｕａｌ．ＩＳＢＮ  ０−８７９６９−３０９−６）に記載されている。
【００８６】
従って、本発明の一態様はストレプトコッカス・ユベリス核酸配列の検出用診断試験キットに関する。このような試験は本発明の核酸配列又はそのプライマーフラグメントを含む。
【００８７】
特異的ストレプトコッカス・ユベリス  ２２．５ｋＤ蛋白質の抗原物質の検出に基づき、従って、ストレプトコッカス・ユベリス感染の検出に適切な診断試験キットは例えば標準ＥＬＩＳＡ試験を含むことができる。このような試験の一例では、ＥＬＩＳＡプレートのウェルの壁に２２．５ｋＤ蛋白質に対する抗体をコーティングする。被験物質と共にインキュベーション後に、標識抗ストレプトコッカス・ユベリス抗体をウェルに添加する。その後、色反応によりストレプトコッカス・ユベリスから抗原物質の存在を検出する。
【００８８】
従って、本発明の更に別の態様はストレプトコッカス・ユベリスの抗原物質の検出用診断試験キットに関する。このような試験キットは本発明の２２．５ｋＤ蛋白質又はそのフラグメントに対する抗体を含む。
【００８９】
ストレプトコッカス・ユベリスの２２．５ｋＤ蛋白質に対する抗体を血清中で検出することに基づき、従って、ストレプトコッカス・ユベリス感染の検出に適切な診断試験キットは例えば標準ＥＬＩＳＡ試験を含むことができる。このような試験では、ＥＬＩＳＡプレートのウェルの壁に、例えば２２．５ｋＤ蛋白質をコーティングする。被験材料と共にインキュベーション後に、標識抗２２．５ｋＤ抗体をウェルに添加する。その後、色反応の不在により、ストレプトコッカス・ユベリスに対する抗体の存在を検出する。
【００９０】
従って、本発明の更に別の態様はストレプトコッカス・ユベリスに対する抗体の検出用診断試験キットに関する。このような試験キットは本発明の２２．５ｋＤ  ストレプトコッカス・ユベリス蛋白質又はそのフラグメントを含む。
【００９１】
イムノアッセイのデザインは種々のものが可能である。例えば、イムノアッセイは競合又は直接反応に基づくことができる。更に、プロトコールは固体支持体を使用してもよいし、細胞材料を使用してもよい。抗体−抗原複合体の検出には標識抗体を使用することができ、ラベルは例えば酵素、蛍光、化学発光、放射性又は色素分子とすることができる。
【００９２】
サンプル中で本発明の蛋白質に対して反応性の抗体を検出するのに適切な方法としては酵素免疫測定法（ＥＬＩＳＡ）、免疫蛍光試験（ＩＦＴ）及びウェスタンブロット分析が挙げられる。
【００９３】
例えば上記のように発現された本発明の蛋白質又はその免疫原フラグメントを使用して、ポリクローナル、単一特異的又はモノクローナル抗体（又はその誘導体）であり得る抗体を生産することができる。ポリクローナル抗体が所望される場合には、ポリクローナル血清の生産処理方法は当該分野で周知である（例えばＭａｙｅｒ  ａｎｄ  Ｗａｉｔｅｒ，ｅｄｓ．Ｉｍｍｕｎｏｃｈｅｍｉｃａｌ  Ｍｅｔｈｏｄｓ  ｉｎ  Ｃｅｌｌ  ａｎｄ  Ｍｏｌｅｃｕｌａｒ  Ｂｉｏｌｏｇｙ，Ａｃａｄｅｍｉｃ  Ｐｒｅｓｓ，Ｌｏｎｄｏｎ，１９８７）。
【００９４】
本発明の蛋白質又は本発明のその免疫原フラグメントに対して反応性のモノクローナル抗体は、同様に当該分野で公知の方法により、近交系マウスを免疫することにより作製することができる（Ｋｏｈｌｅｒ  ａｎｄ  Ｍｉｌｓｔｅｉｎ，Ｎａｔｕｒｅ，２５６，４９５−４９７，１９７５）。
【実施例１】
【００９５】
２２．５ｋＤａ  Ｓ．ｕｂｅｒｉｓ蛋白質をコードする遺伝子のクローニングと発現
本発明の２２．５ｋＤａ蛋白質のアミノ酸配列は２１残基の疎水性Ｎ末端シグナル配列を含む（配列番号２）。大腸菌で発現させるために、このドメインを欠失させ、当該分野で公知の標準ｐＥＴベクターに例えば数個のヒスチジンを導入することにより構築したｐＥＴ由来ベクターｐＥＴＨｉｓ１（アンピシリン耐性）で発現構築物を作製した。図１はＴ７プロモーターとマルチクローニング部位の５’及び３’末端に数個のヒスチジンを含む該当領域の配列を示す。残基２２（下線部コドン）から開始し、付加ＮｄｅＩ制限部位（太字斜体部）をもつフォワードプライマー：
【００９６】
【化１】
2005535350.tif 000002
と、遺伝子の最後の２２ヌクレオチド（下線部）を含み、ＴＡＡ停止コドンをもたないが、付加ＢａｍＨＩ制限部位をもつリバースプライマー：
【００９７】
【化２】
2005535350.tif 000003
を使用して２２．５ｋＤａ蛋白質の残基２２−２００をコードするＤＮＡフラグメントをＰＣＲ増幅した。オリゴヌクレオチドはＧｉｂｃｏ（ＢＲＬ  Ｌｉｆｅ  Ｔｅｃｈｎｏｌｏｇｉｅｓ  Ｉｎｃ．，米国）から購入した。このクローニングストラテジーの結果、Ｎ末端に６ｘＨＩＳタグとＣ末端に１０ｘＨＩＳタグをもち、金属アフィニティーカラムによる蛋白質の精製に効率的に使用可能な発現産物が得られる。ＰＣＲ増幅はＰＥ  ＧｅｎｅＡｍｐ  ＰＣＲ  ｓｙｓｔｅｍ  ９７００（Ｐｅｒｋｉｎ  Ｅｌｍｅｒ，Ｃａｌｉｆｏｒｎｉａ，米国）を使用して実施した。ＰＣＲ混合物はＳｕｐｅｒｔａｑ  ２０Ｕ／ｍｌ、１ｘＳｕｐｅｒｔａｑ緩衝液、ｄＡＴＰ，ｄＣＴＰ，ｄＧＴＰ，ｄＴＴＰ（ＨＴ  Ｂｉｏｔｅｃｈｎｏｌｏｇｙ，Ｌｔｄ，Ｃａｍｂｒｉｄｇｅ，英国）８０μＭ（各）、使用したプライマー１０ｐｍｏｌ及び鋳型としてＳ．ｕｂｅｒｉｓの染色体ＤＮＡ１μｌから構成し、総容量５０μｌとした。ＰＣＲは以下のプログラムを使用して実施した。２分間９５℃で変性後に３０秒間９５℃で変性、３０秒間４５℃でアニール及び１分間７２℃で伸長を３０サイクル行い、７分間７２℃で終了し、４℃まで冷却した。
【００９８】
このＰＣＲフラグメントのサイズをアガロースゲル電気泳動により確認し、バンドをゲルから切り出し、Ｑｉａｑｕｉｃｋゲル抽出キット（Ｑｉａｇｅｎ，Ｉｎｃ，ＣＡ，米国）を使用して精製した。
【００９９】
ＰＣＲフラグメントをＮｄｅＩとＢａｍＨＩで消化し、ＮｄｅＩ及びＢａｍＨＩ制限部位を使用してｐＥＴＨＩＳ１ベクターにクローニングし、プラスミドｐＥＴＨｉｓ１−ＵＳＰ２２．５を得た。ライゲーション混合物を適当な大腸菌宿主に形質転換し、クローンを選択し、ヌクレオチド配列分析により遺伝子が適正に挿入されていることを確認した。ＰＥ  ＧｅｎｅＡｍｐ  ＰＣＲ  ｓｙｓｔｅｍ  ９７００（Ｐｅｒｋｉｎ  Ｅｌｍｅｒ，Ｃａ，米国）を使用してサイクルシーケンシング反応を実施した。サイクルシーケンシング反応混合物はミニプレップＤＮＡ約３７５ｎｇ又はＰＣＲ産物（ＰＣＲプライマーは除去する）約７５ｎｇ、Ｂｉｇ  ｄｙｅ  Ｔｅｒｍｉｎａｔｏｒ  Ｒｅａｄｙ  Ｒｅａｃｔｉｏｎ  ｍｉｘ（Ｐｅｒｋｉｎ  Ｅｌｍｅｒ，Ｃａ，米国）８μｌ、プライマー２．５ｐｍｏｌから構成し、総容量２０μｌとした。サイクルシーケンシング反応は以下のプログラムを使用して実施した。１０秒間９５℃、５秒間５０℃、及び４分間６０℃を２５サイクル後に４℃とした。取込まれなかった色素をＤｙｅ  Ｅｘ  Ｓｐｉｎ  Ｋｉｔ（Ｑｉａｇｅｎ，Ｉｎｃ，ＣＡ，米国）により除去した。ＡＢＩ  ３１０  Ａｕｔｏｍａｔｉｃ  Ｓｅｑｕｅｎｃｅｒを使用してヌクレオチド配列を決定した。ｓｅｑｕｅｎｃｈｅｒ  ｖｅｒｓｉｏｎ  ４．０．５（Ｇｅｎｅ  Ｃｏｄｅｓ  Ｃｏｒｐｏｒａｔｉｏｎ，Ｍｉｃｈｉｇａｎ，米国）を使用して配列分析を実施した。
【０１００】
正しいｐＥＴＨｉｓ１−ＵＳＰ２２．５クローンのプラスミドＤＮＡを単離し、ベクターｐＬｙｓＳ［遺伝子型：Ｆ，ｏｍｐＴ，ｈｓｄＳＢ（ｒｂ−，ｍＢ−），ｇａｌ，ｄｃｍ，ｍｅ１３１（ＤＥ３）ｐＬｙｓＳ（ＣａｍＲ）］を組込んだ大腸菌宿主株ＢＬ２１  Ｓｔａｒ（登録商標）（ＤＥ３）に形質転換した。アンピシリン１００μｇ／ｍｌ、クロラムフェニコール２５μｇ／ｍｌ及びＭｇＳＯ４  ５ｍＭを添加したＴｅｒｒｉｆｉｃ  Ｂｒｏｔｈ（Ｓａｍｂｒｏｏｋら，１９８９．Ｍｏｌｅｃｕｌａｒ  Ｃｌｏｎｉｎｇ；ａ  ｌａｂｏｒａｔｏｒｙ  ｍａｎｕａｌ．Ｃｏｌｄ  Ｓｐｒｉｎｇ  Ｈａｒｂｏｒ  Ｌａｂｏｒａｔｏｒｙ．Ｃｏｌｄ  Ｓｐｒｉｎｇ  Ｈａｒｂｏｒ，Ｎ．Ｙ．）５ｍｌ中でプラスミドｐＬｙｓＳ及びｐＥＴＨｉｓ１−ＵＳＰ２２．５を組込んだ大腸菌株ＢＬ２１  Ｓｔａｒ（ＤＥ３）を３０℃又は３７℃にて一晩２００ｒｐｍで増殖させた。この一晩培養液を新鮮な同一培地５０ｍｌで５０倍に希釈した。Ｎｏｖａｓｐｅｃ  ＩＩスペクトロフォトメーター（Ｐｈａｒｍａｃｉａ）で６００ｎｍにて測定したＯＤ６００が０．５に達するまでこれらの培養液を同一条件下で増殖させた。この時点で１００μｌサンプルを分析用に抽出した。ＯＤ６００＝０．５で培養液を終濃度０．１ｍＭのＩＰＴＧで誘導し、引き続き３時間増殖を続けた。再び１００μｌサンプルを分析用に抽出した。サンプルをＮｕＰＡＧＥ（登録商標）電気泳動システムでＳＤＳ−ＰＡＧＥにより分析した。ゲルをクーマシーブリリアントブルー（ＣＢＢ）で染色した。
【０１０１】
図２はＣＢＢ染色ゲルの写真を示し、誘導後の培養液のレーンには約２３ｋＤａの明白な蛋白質バンドが認められるが、ＩＰＴＧ誘導前の対照レーンに存在しない。従って、Ｓ．ｕｂｅｒｉｓの２２．５ｋＤａ蛋白質を大腸菌でＨＩＳタグ付き蛋白質として効率的に発現させることができると言える。
【０１０２】
ＨＩＳタグ付き蛋白質の金属アフィニティー精製
誘導培養液５０ｍｌの細菌ペレットを３７℃で５分間解凍した。ペレットを溶解用緩衝液（８Ｍ尿素，１００ｍＭ  ＮａＣｌ，５０ｍＭ  ＮａＨ２ＰＯ４，１０ｍＭ  ＴｒｉｓＨＣｌ  ｐＨ８．０）２０ｍｌに再懸濁し、室温で１５分間インキュベートした。溶解用混合物のサンプルを後期分析用に保存した。溶解用混合物１．５ｍｌをＴａｌｏｎスピンカラム（Ｃｌｏｎｔｅｃｈ，Ｐａｌｏ  Ａｌｔｏ，Ｃａｌｉｆｏｒｎｉａ，米国）に加えた。Ｈｉｓ融合蛋白質を樹脂と５分間結合させた。カラムを２分間７００ｘｇで遠心した。溶出液を後期分析用に保存した。融合蛋白質が結合したカラムを溶解用緩衝液１ｍｌで３回洗浄した。洗浄段階の流出液を後期分析用に保存した。６Ｍ尿素と１００ｍＭ  ＥＤＴＡを添加した緩衝液を使用して結合蛋白質を２段階で溶出させた。この方法を使用して２２．５ｋＤａ蛋白質を大腸菌溶解液から精製することができた（データは示さず）。
【実施例２】
【０１０３】
発現された２２．５ｋＤ蛋白質のイムノブロット
大腸菌２２．５ｋＤａ発現産物の反応性を実証するために、イムノブロットを実施した。
【０１０４】
精製Ｈｉｓタグ付き２２．５ｋＤａ蛋白質をＳ．ｕｂｅｒｉｓ蛋白質と共に蛋白質ゲルで泳動させた。Ｓ．ｕｂｅｒｉｓを標準条件下で増殖させた後に、連鎖球菌種の細胞壁を分解する酵素であるムタノリシンで処理した。こうすると、細胞壁会合蛋白質が放出される。遠心後に、これらの放出された蛋白質は上清中に存在する。上清と細胞ペレットの両者を蛋白質ゲルで泳動させた。
【０１０５】
精製２２．５ｋＤ蛋白質とＳ．ｕｂｅｒｉｓ蛋白質の電気泳動後に、ゲルをニトロセルロースメンブレンにブロットした後、Ｓ．ｕｂｅｒｉｓ乳腺炎に罹患しているウシに由来する１０００倍希釈抗血清と共にインキュベートした。Ｓ．ｕｂｅｒｉｓ及び大腸菌蛋白質と反応するウシ抗体を抗ウシに結合したアルカリホスファターゼで染色した。
【０１０６】
精製２２．５ｋＤａ発現産物を含むレーンには、約２３ｋＤａの明白なバンドが認められた。ウェスタンイムノブロットでこのバンドはＳ．ｕｂｅｒｉｓに感染したウシに由来する抗体に対して陽性反応した（図２のレーン６参照）。更に、ムタノリシンで処理したＳ．ｕｂｅｒｉｓ細胞の培養上清を含むレーン３及び５にも類似分子量のバンドが観察された。分子量の多少の差は大腸菌発現産物の付加ＨＩＳ残基による。これは２２．５ｋＤａ蛋白質がＳ．ｕｂｅｒｉｓ細胞の細胞壁又は表面に局在することを示している。
【０１０７】
従って、本発明の２２．５ｋＤ  ストレプトコッカス・ユベリス蛋白質は効率的に発現させた後に単離することができ、ストレプトコッカス・ユベリスに感染したウシに由来する抗血清に対して天然２２．５ｋＤ蛋白質と同等レベルまで反応する。
【図面の簡単な説明】
【０１０８】
【図１】Ｔ７プロモーターと、Ｎ末端の６ｘＨＩＳとＣ末端の１０ｘＨＩＳの２個のＨＩＳタグを付加した多重クローニング部位を含むｐＥＴＨＩＳ１ベクターの領域を示す。
【図２】大腸菌における２２．５ｋＤ  ストレプトコッカス・ユベリス蛋白質の発現を示すＳＤＳ−ＰＡＡＧＥゲル。レーン１はマーカー蛋白質とその分子量を示す。「誘導前」と記載したレーン２は発現誘導前の全細胞調製物を示す。「誘導後」と記載したレーン３は発現誘導後の全細胞調製物を示す。ＳＤＳ−ＰＡＡＧＥゲルで「誘導後」のレーンには明白な２２．５ｋＤバンド（矢印で示す）が認められる。
【図３】大腸菌において発現した２２．５ｋＤ  ストレプトコッカス・ユベリス蛋白質のウェスタンブロット。レーン１：ＭＷマーカー、レーン２：ムタノリシン処理後のＳ．ｕｂｅｒｉｓ０２４株の菌体（ペレット）、レーン３：ムタノリシン処理後のＳ．ｕｂｅｒｉｓ０２４株の培養上清、レーン４：ムタノリシン処理後のＳ．ｕｂｅｒｉｓ６２９株の菌体、レーン５：ムタノリシン処理後のＳ．ｕｂｅｒｉｓ６２９株の培養上清、レーン６：大腸菌細胞から精製したＨＩＳタグ付き２２．５ｋＤａ蛋白質。
【配列表】
2005535350.tif 000004
2005535350.tif 000005
2005535350.tif 000006
【図１】
2005535350.tif 000007
【図２】
2005535350.tif 000008
【図３】
2005535350.tif 000009
【国際調査報告】
2005535350.tif 000010
2005535350.tif 000011
2005535350.tif 000012
2005535350.tif 000013